(57)【要約】  サーバ装置（１００）は、受付部（１０１）と、取得部（１０２）と、推定部（１０３）と、提示部（１０４）と、を備える。受付部（１０１）は、取引の対象となる不動産の住所と、当該不動産を撮影した写真と、を受け付ける。取得部（１０２）は、受け付けられた住所に隣接する道路において撮影されたパノラマ画像を取得する。推定部（１０３）は、取得されたパノラマ画像において、受け付けられた写真に類似する領域を推定する。提示部（１０４）は、パノラマ画像と、推定された領域と、写真と、を対比して提示する。
2016208040.tif 000002
【特許請求の範囲】
【請求項１】
取引の対象となる不動産の住所と、当該不動産を撮影した写真と、を受け付ける受付部と、
前記受け付けられた住所に隣接する道路において撮影されたパノラマ画像を取得する取得部と、
前記取得されたパノラマ画像において、前記受け付けられた写真に類似する領域を推定する推定部と、
前記パノラマ画像と、前記推定された領域と、前記写真と、を対比して提示する提示部と、
を備えることを特徴とするサーバ装置。
【請求項２】
請求項１に記載のサーバ装置であって、
前記提示部は、前記推定部により類似する領域が推定されない場合、前記受け付けられた住所あるいは写真に誤りのおそれがあることを警告する
ことを特徴とするサーバ装置。
【請求項３】
請求項１に記載のサーバ装置であって、
前記提示部は、前記推定部により類似する領域が推定されない場合、前記受け付けられた住所及び写真の入力者にパノラマ画像を提示し、前記取引のカスタマにはパノラマ画像は提示しない
ことを特徴とするサーバ装置。
【請求項４】
請求項１に記載のサーバ装置であって、
前記提示部は、前記類似する領域が中心に配置されるように、前記パノラマ画像を横方向にスクロールしてから提示する
ことを特徴とするサーバ装置。
【請求項５】
サーバ装置が実行する制御方法であって、
前記サーバ装置が、取引の対象となる不動産の住所と、当該不動産を撮影した写真と、を受け付ける受付工程と、
前記サーバ装置が、前記受け付けられた住所に隣接する道路において撮影されたパノラマ画像を取得する取得工程と、
前記サーバ装置が、前記取得されたパノラマ画像において、前記受け付けられた写真に類似する領域を推定する推定工程と、
前記サーバ装置が、前記パノラマ画像と、前記推定された領域と、前記写真と、を対比して提示する提示工程と、
を備えることを特徴とする制御方法。
【請求項６】
コンピュータを、
取引の対象となる不動産の住所と、当該不動産を撮影した写真と、を受け付ける受付部、
前記受け付けられた住所に隣接する道路において撮影されたパノラマ画像を取得する取得部、
前記取得されたパノラマ画像において、前記受け付けられた写真に類似する領域を推定する推定部、
前記パノラマ画像と、前記推定された領域と、前記写真と、を対比して提示する提示部、
として機能させることを特徴とするプログラム。
【請求項７】
コンピュータを、
取引の対象となる不動産の住所と、当該不動産を撮影した写真と、を受け付ける受付部、
前記受け付けられた住所に隣接する道路において撮影されたパノラマ画像を取得する取得部、
前記取得されたパノラマ画像において、前記受け付けられた写真に類似する領域を推定する推定部、
前記パノラマ画像と、前記推定された領域と、前記写真と、を対比して提示する提示部、
として機能させることを特徴とするプログラムを記録した非一時的なコンピュータ読取可能な記録媒体。
【発明の詳細な説明】
【技術分野】
【０００１】
本発明は、サーバ装置、制御方法、プログラム、及び、記録媒体に関し、特に、インターネット上で扱われる不動産の提示に関する。
【背景技術】
【０００２】
従来から、インターネット上で不動産を閲覧させるシステムが知られている。例えば、特許文献１には、不動産を含む街区などの画像を提示し、当該画像内の広告板などの関心領域を更新するオンライン財産管理システムが開示されている。また、画像において所望の領域を抽出する技術も知られている。例えば、非特許文献１には、大容量画像から、小容量の入力画像と類似する部分画像を、高速に抽出する技術が開示されている。
【先行技術文献】
【特許文献】
【０００３】
【特許文献１】特表２０１１−５２７４８３号公報
【非特許文献】
【０００４】
【非特許文献１】A. Gomi, T. Itoh, K. Koyamada, S. Hido, "VIEWGLE: Fast Extraction of Similar Partial Images for Querying Viewing Parameters", NICOGRAPH International 2006.
【発明の概要】
【発明が解決しようとする課題】
【０００５】
インターネット上で不動産の売買や賃貸契約を行う場合、購入・契約を検討しているカスタマは、不動産物件の情報だけでなく、不動産物件の周囲の様子を知りたいという要望がある。しかし、売り手にとっては、不動産物件以外の周囲の画像を撮影するのは手間がかかり、十分な情報をカスタマに提供できないという問題があった。【０００６】
本発明は、上記のような課題を解決するもので、不動産の周囲の様子を簡易に提示するのに好適なサーバ装置、制御方法、プログラム、及び、記録媒体を提供することを目的とする。
【課題を解決するための手段】
【０００７】
本発明の第１の観点に係るサーバ装置は、
取引の対象となる不動産の住所と、当該不動産を撮影した写真と、を受け付ける受付部と、
前記受け付けられた住所に隣接する道路において撮影されたパノラマ画像を取得する取得部と、
前記取得されたパノラマ画像において、前記受け付けられた写真に類似する領域を推定する推定部と、
前記パノラマ画像と、前記推定された領域と、前記写真と、を対比して提示する提示部と、
を備えることを特徴とする。【０００８】
上記サーバ装置において、
前記提示部は、前記推定部により類似する領域が推定されない場合、前記受け付けられた住所あるいは写真に誤りのおそれがあることを警告する
ことを特徴とする。【０００９】
上記サーバ装置において、
前記提示部は、前記推定部により類似する領域が推定されない場合、前記受け付けられた住所及び写真の入力者にパノラマ画像を提示し、前記取引のカスタマにはパノラマ画像は提示しない
ことを特徴とする。【００１０】
上記サーバ装置において、
前記提示部は、前記類似する領域が中心に配置されるように、前記パノラマ画像を横方向にスクロールしてから提示する
ことを特徴とする。【００１１】
本発明の第２の観点に係る制御方法は、
サーバ装置が実行する制御方法であって、
前記サーバ装置が、取引の対象となる不動産の住所と、当該不動産を撮影した写真と、を受け付ける受付工程と、
前記サーバ装置が、前記受け付けられた住所に隣接する道路において撮影されたパノラマ画像を取得する取得工程と、
前記サーバ装置が、前記取得されたパノラマ画像において、前記受け付けられた写真に類似する領域を推定する推定工程と、
前記サーバ装置が、前記パノラマ画像と、前記推定された領域と、前記写真と、を対比して提示する提示工程と、
を備えることを特徴とする。【００１２】
本発明の第３の観点に係るプログラムは、
コンピュータを、
取引の対象となる不動産の住所と、当該不動産を撮影した写真と、を受け付ける受付部、
前記受け付けられた住所に隣接する道路において撮影されたパノラマ画像を取得する取得部、
前記取得されたパノラマ画像において、前記受け付けられた写真に類似する領域を推定する推定部、
前記パノラマ画像と、前記推定された領域と、前記写真と、を対比して提示する提示部、
として機能させることを特徴とする。【００１３】
本発明の第４の観点に係る非一時的なコンピュータ読取可能な記録媒体は、
コンピュータを、
取引の対象となる不動産の住所と、当該不動産を撮影した写真と、を受け付ける受付部、
前記受け付けられた住所に隣接する道路において撮影されたパノラマ画像を取得する取得部、
前記取得されたパノラマ画像において、前記受け付けられた写真に類似する領域を推定する推定部、
前記パノラマ画像と、前記推定された領域と、前記写真と、を対比して提示する提示部、
として機能させることを特徴とするプログラムを記録する。【００１４】
なお、上記非一時的な（non-transitory）記録媒体は、コンピュータとは独立して配布・販売することができる。ここで、非一時的な記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００１５】
本発明によれば、不動産の周囲の様子を簡易に提示するのに好適なサーバ装置、制御方法、プログラム、及び、記録媒体を提供することができる。
【図面の簡単な説明】
【００１６】
【図１】本発明の実施形態に係るサーバ装置と、カスタマ端末と、販売者端末と、の関係を示す図である。
【図２】本発明の実施形態に係るサーバ装置が実現される典型的な情報処理装置の物理的構成を示す図である。
【図３】実施形態に係るサーバ装置の機能構成を示す図である。
【図４】不動産を紹介するページを説明するための図である。
【図５】パノラマ画像を説明するための図である。
【図６】パノラマ画像を説明するための図である。
【図７】パノラマ画像と推定された領域と写真との対比を説明するための図である。
【図８】パノラマ画像を説明するための図である。
【図９】メッセージ及びパノラマ画像の提示を説明するための図である。
【図１０】実施形態に係るサーバ装置が行う制御処理を説明するためのフローチャートである。
【発明を実施するための形態】
【００１７】
（１．全体構成）
本発明の実施形態に係るサーバ装置１００は、図１に示すように、インターネット４００に接続される。インターネット４００には、サーバ装置１００の他に、カスタマ端末２０１、２０２〜２０ｍ（以下、これらを総称して「カスタマ端末２００」という）と、販売者端末３０１、３０２〜３０ｎ（以下、これらを総称して「販売者端末３００」という）と、が接続されている。
【００１８】
サーバ装置１００は、複数の販売者が販売や賃貸しを行う不動産の情報を管理する装置である。サーバ装置１００は、販売者端末３００より、所在地や写真等の不動産情報を受け付け、カスタマ端末２００からの要求に応じて、不動産情報を提供する。
【００１９】
カスタマ端末２００は、不動産の閲覧・購入等を行うカスタマが使用する端末である。
【００２０】
販売者端末３００は、インターネット上で不動産を販売あるいは賃貸しを行う販売者が使用する端末である。
【００２１】
（２．情報処理装置の概要構成）
本発明の実施形態に係るサーバ装置１００が実現される典型的な情報処理装置６００の物理的構成について説明する。
【００２２】
情報処理装置６００は、図２に示すように、ＣＰＵ（Central Processing Unit）６０１と、ＲＯＭ（Read Only Memory）６０２と、ＲＡＭ（Random Access Memory）６０３と、記憶装置６０４、ＮＩＣ（Network Interface Card）６０５と、画像処理部６０６と、音声処理部６０７と、ディスプレイ６０８と、スピーカ６０９と、コントローラ６１０と、を備える。
【００２３】
ＣＰＵ  ６０１は、情報処理装置６００全体の動作を制御し、各構成要素と接続され、制御信号やデータをやりとりする。
【００２４】
ＲＯＭ  ６０２には、情報処理装置６００全体の動作制御に必要なオペレーティングシステムのプログラムや各種のデータが記録される。
【００２５】
ＲＡＭ  ６０３は、データやプログラムを一時的に記憶するためのもので、記憶装置６０４から読み出したプログラムやデータ、その他、通信に必要なデータ等が保持される。
【００２６】
記憶装置６０４は、ハードディスクやフラッシュメモリ等、から構成され、情報処理装置６００で処理するデータを記憶する。また、記憶装置６０４は、ＣＤ（Compact Disc）等の記録媒体からデータを読み出すデバイス等を備えるように構成されてもよい。
【００２７】
ＮＩＣ  ６０５は、情報処理装置６００をインターネット等のコンピュータ通信網に接続するためのものであり、ＮＩＣ  ６０５を介して他の情報処理装置等とやりとりをする。
【００２８】
画像処理部６０６は、記憶装置等から読み出されたデータをＣＰＵ  ６０１や画像処理部６０６が備える画像演算プロセッサによって加工処理し、画像処理部６０６が備えるフレームメモリに記録する。フレームメモリに記録された画像情報は、所定の同期タイミングでビデオ信号に変換され、ディスプレイ６０８に出力される。
【００２９】
音声処理部６０７は、記憶装置等から読み出されたデータをアナログ音声信号に変換し、スピーカ６０９から出力させる。
【００３０】
コントローラ６１０は、ユーザからの指示入力を受け付ける。
【００３１】
以下、上記情報処理装置６００において実現されるサーバ装置１００について、図１乃至図１０を参照して説明する。情報処理装置６００に電源が投入されると、実施形態に係るサーバ装置１００として機能させるプログラムが実行され、実施形態に係るサーバ装置１００が実現される。
【００３２】
（３．実施形態のサーバ装置の機能構成）
実施形態のサーバ装置１００は、図３に示すように、受付部１０１と、取得部１０２と、推定部１０３と、提示部１０４と、から構成される。
【００３３】
本実施形態及び以下に示す実施形態において、ＣＰＵ  ６０１及びＮＩＣ  ６０５が協働して、受付部１０１と、取得部１０２と、提示部１０４として機能し、ＣＰＵ  ６０１及び画像処理部６０６が協働して、推定部１０３として機能する。
【００３４】
受付部１０１は、取引の対象となる不動産の住所と、当該不動産を撮影した写真と、を受け付ける。
【００３５】
例えば、受付部１０１は、不動産業者から、販売予定の不動産の住所５１０と、当該不動産を撮影した写真５２０と、を受け付ける。受け付けられた住所５１０や写真５２０は、カスタマに提示する不動産情報として扱われる。例えば、受付部１０１が、不動産の住所５１０を含む情報と、写真５２０を受け付けたとすると、サーバ装置１００は、不動産の情報や写真５２０を含む図４のページ５００を生成し、カスタマからの要求に応じて、閲覧させる。
【００３６】
取得部１０２は、受け付けられた住所に隣接する道路において撮影されたパノラマ画像を取得する。
【００３７】
例えば、パノラマ画像ＤＢ  ７００は、外部の装置が有するデータベースであり、パノラマ画像ＤＢ  ７００には、住所に対応付けられた画像データが保存されている。画像データは、住所が示す場所又はその付近の道路から周囲を撮影した画像である。取得部１０２は、パノラマ画像ＤＢ  ７００から、受け付けられた住所５１０に対応付けられたパノラマ画像７１０（図５）を取得する。
【００３８】
あるいは、取得部１０２は、インターネットを通じて提供されるサービスを利用して、パノラマ画像を取得してもよい。
【００３９】
推定部１０３は、取得されたパノラマ画像において、受け付けられた写真に類似する領域を推定する。
【００４０】
例えば、受付部１０１が写真５２０を受け付け、取得部１０２がパノラマ画像７１０を取得したとすると、推定部１０３は、画像認識により、写真５２０に含まれる物件Ａ  ５０１が、パノラマ画像７１０の中に存在する領域（類似する領域７０１）を推定する。
【００４１】
なお、画像認識による類似領域の推定には、様々な画像認識技術を採用することができる。例えば、物件の輪郭や特徴点の比較により類似領域を推定する手法や、カラーヒストグラムの比較により類似領域を推定する手法等を採用してもよい。あるいは、非特許文献１に開示されている技術を採用してもよい。
【００４２】
また、推定部１０３は、インターネットを通じて提供されるサービスを利用して、パノラマ画像における受け付けられた写真と類似する領域を求めてもよい。
【００４３】
提示部１０４は、パノラマ画像と、推定された領域と、写真と、を対比して提示する。
【００４４】
ここで、提示部１０４は、類似する領域が中心に配置されるように、パノラマ画像を横方向にスクロールしてから提示する。
【００４５】
例えば、図６に示すように、提示部１０４は、類似する領域７０１がパノラマ画像の中心に配置されるように、得られたパノラマ画像７１０を横方向にスクロールした、新たなパノラマ画像７２０を得る。
【００４６】
そして、提示部１０４は、図７に示すように、パノラマ画像７２０と、推定された領域７０１と、写真５２０とを対比して提示する。
【００４７】
なお、対比の手法は図７の例に限らず、例えば、パノラマ画像７２０と写真５２０とを重ねて表示する様にしてもよい。この際、例えば、写真５２０を半透明にしても良い。
【００４８】
あるいは、パノラマ画像７２０に横方向のスクロールバーを設けて、スクロールバーを動かすことにより、対象不動産の周囲を３６０度、観察できるようにしてもよい。また、パノラマ画像７２０内でドラッグすることにより、パノラマ画像７２０における観察方向を変化させるようにしてもよい。
【００４９】
本実施形態によれば、入力した住所に基づいて不動産の周辺の画像が自動で取得されるので、不動産の情報を提供する者は、撮影の手間をかけることなく、カスタマにとって有益な情報を提供することができる。また、推定された領域を自動でパノラマ画像の中央に表示させることにより、住所から求めたパノラマ画像に映し出された風景が、実際の不動産の位置とずれが生じていた場合でも、不動産を中心とした周辺の様子が見えるように補正することができる。
【００５０】
また、提示部１０４は、推定部１０３により類似する領域が推定されない場合、受け付けられた住所あるいは写真に誤りのおそれがあることを警告する。
【００５１】
例えば、取得部１０２により取得されたパノラマ画像７３０（図８）には、物件Ａ  ５０１が含まれていなかった場合、推定部１０３は、写真５２０と類似する領域を推定できない。この場合、提示部１０４は、入力した住所又は写真に誤りのおそれがあることを通知するメッセージ５３０（図９）を画面に表示させる。
【００５２】
このような構成により、入力者は、入力した住所が、情報を提供しようとする不動産の住所とは異なること、あるいは、入力した写真が、情報を提供しようとする不動産を写したものではないことを、知ることができる。
【００５３】
また、提示部１０４は、推定部１０３により類似する領域が推定されない場合、受け付けられた住所及び写真の入力者にパノラマ画像を提示し、取引のカスタマにはパノラマ画像は提示しない。
【００５４】
例えば、取得部１０２によりパノラマ画像７３０が取得されて、推定部１０３により類似する領域が推定されなかった場合、提示部１０４は、住所５１０及び写真５２０を入力した不動産業者には、図９に示すように、取得されたパノラマ画像７３０を提示する。一方、この物件の閲覧を希望するカスタマには、パノラマ画像７３０が含まれていない図４のページ５００を提示する。
【００５５】
このような構成により、入力者に、入力した住所に基づいて得られたパノラマ画像に、入力した写真と類似する領域が含まれていないことを一目で分からせることができる。また、住所及び写真を入力した者に、入力した住所が示す場所を確認させることができる。このように、住所及び写真の入力時に、写真と類似する領域が推定されなかったパノラマ画像を提示することにより、取引対象の不動産の住所や写真の登録ミスを防ぐことができる。また、カスタマには、受け付けられた写真と風景が異なるパノラマ画像を提示しないことにより、不要な混乱を招くことを防止できる。
【００５６】
（４．実施形態のサーバ装置の動作）
本実施形態のサーバ装置１００の動作について説明する。サーバ装置１００は、例えば、電源が投入されると、図１０に示す処理を開始する。
【００５７】
受付部１０１は、取引の対象となる不動産の住所と、不動産を撮影した写真と、を受け付けたか否かを判断する（ステップＳ１０１）。受付部１０１が、取引の対象となる不動産の住所と、不動産を撮影した写真と、を受け付けたと判断すると（ステップＳ１０１；Ｙｅｓ）、取得部１０２は、受け付けられた住所に隣接する道路において撮影されたパノラマ画像を取得する（ステップＳ１０２）。一方、受付部１０１は、取引の対象となる不動産の住所と、不動産を撮影した写真と、を受け付けていないと判断すると（ステップＳ１０１；Ｎｏ）、そのまま待機する。
【００５８】
例えば、受付部１０１は、不動産業者から、販売予定の不動産の住所５１０と、不動産を撮影した写真５２０と、を受け付けると、取得部１０２は、パノラマ画像ＤＢ  ７００を参照して、受け付けられた住所５１０に対応付けられたパノラマ画像７１０（図５）を取得する。一方、受付部１０１は、住所及び写真の入力を受け付けない場合は、そのまま待機する。
【００５９】
推定部１０３は、取得されたパノラマ画像において、受け付けられた写真に類似する領域を推定できたか否かを判断する（ステップＳ１０３）。推定部１０３が、取得されたパノラマ画像において、受け付けられた写真に類似する領域を推定できたと判断すると（ステップＳ１０３；Ｙｅｓ）、提示部１０４は、パノラマ画像と、推定された領域と、写真と、を対比して提示する（ステップＳ１０４）。一方、推定部１０３が、取得されたパノラマ画像において、受け付けられた写真に類似する領域を推定できなかったと判断すると（ステップＳ１０３；Ｎｏ）、提示部１０４は、受け付けられた住所あるいは写真に誤りのおそれがあることを警告する（ステップＳ１０５）。そして、提示部１０４は、受け付けられた住所及び写真の入力者のみにパノラマ画像を提示する（ステップＳ１０６）。
【００６０】
例えば、受付部１０１が写真５２０を受け付け、取得部１０２がパノラマ画像７１０を取得したとすると、推定部１０３は、非特許文献１に開示されたような各種の画像認識技術を利用して、写真５２０に含まれる物件Ａ  ５０１が、パノラマ画像７１０の中に存在する領域（類似する領域７０１）を推定する。そして、提示部１０４は、推定された領域７０１をパノラマ画像の中央に位置するように補正されたパノラマ画像７２０と、推定された領域７０１と、写真５２０とを対比して提示する。
【００６１】
一方、受付部１０１が写真５２０を受け付け、取得部１０２がパノラマ画像７３０を取得したとすると、推定部１０３は、写真５２０に含まれる物件Ａ５０１と類似した領域が、パノラマ画像７３０内に無いと推定する。そして、提示部１０４は、入力した住所又は写真に誤りのおそれがあることを通知するメッセージ５３０（図９）を画面に表示させる。さらに、提示部１０４は、住所５１０及び写真５２０を入力した者にのみ、図９に示すように、取得されたパノラマ画像７３０を提示する。
【００６２】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００６３】
１００  サーバ装置
１０１  受付部
１０２  取得部
１０３  推定部
１０４  提示部
２００、２０１、２０２〜２０ｍ  カスタマ端末
３００、３０１、３０２〜３０ｎ  販売者端末
４００  インターネット
５００  ページ
５０１  物件Ａ
５１０  住所
５２０  写真
５３０  メッセージ
６００  情報処理装置
６０１  ＣＰＵ
６０２  ＲＯＭ
６０３  ＲＡＭ
６０４  記憶装置
６０５  ＮＩＣ
６０６  画像処理部
６０７  音声処理部
６０８  ディスプレイ
６０９  スピーカ
６１０  コントローラ
７００  パノラマ画像  ＤＢ
７０１  領域
７１０、７２０、７３０  パノラマ画像
【図１】
2016208040.tif 000003
【図２】
2016208040.tif 000004
【図３】
2016208040.tif 000005
【図４】
2016208040.tif 000006
【図５】
2016208040.tif 000007
【図６】
2016208040.tif 000008
【図７】
2016208040.tif 000009
【図８】
2016208040.tif 000010
【図９】
2016208040.tif 000011
【図１０】
2016208040.tif 000012
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
取引の対象となる不動産の住所と、当該不動産を撮影した写真と、を受け付ける受付部と、
住所に対応付けられて、当該住所が示す場所もしくは当該住所の付近の道路から周囲を撮影したパノラマ画像が保存された記憶部から、前記受け付けられた住所に対応付けられて保存されたパノラマ画像を取得する取得部と、
前記取得されたパノラマ画像の中に存在し、かつ、前記受け付けられた写真に類似する領域を推定する推定部と、
前記パノラマ画像と、前記推定された領域と、前記写真と、を対比して提示する提示部と、
を備えることを特徴とするサーバ装置。
【請求項２】
請求項１に記載のサーバ装置であって、
前記提示部は、前記推定部により類似する領域が推定されない場合、前記受け付けられた住所あるいは写真に誤りのおそれがあることを警告する
ことを特徴とするサーバ装置。
【請求項３】
請求項１に記載のサーバ装置であって、
前記提示部は、前記推定部により類似する領域が推定されない場合、前記受け付けられた住所及び写真の入力者にパノラマ画像を提示し、前記取引のカスタマにはパノラマ画像は提示しない
ことを特徴とするサーバ装置。
【請求項４】
請求項１に記載のサーバ装置であって、
前記提示部は、前記類似する領域が中心に配置されるように、前記パノラマ画像を横方向にスクロールしてから提示する
ことを特徴とするサーバ装置。
【請求項５】
サーバ装置が実行する制御方法であって、
前記サーバ装置が、取引の対象となる不動産の住所と、当該不動産を撮影した写真と、を受け付ける受付工程と、
前記サーバ装置が、住所に対応付けられて、当該住所が示す場所もしくは当該住所の付近の道路から周囲を撮影したパノラマ画像が保存された記憶部から、前記受け付けられた住所に対応付けられて保存されたパノラマ画像を取得する取得工程と、
前記サーバ装置が、前記取得されたパノラマ画像の中に存在し、かつ、前記受け付けられた写真に類似する領域を推定する推定工程と、
前記サーバ装置が、前記パノラマ画像と、前記推定された領域と、前記写真と、を対比して提示する提示工程と、
を備えることを特徴とする制御方法。
【請求項６】
コンピュータを、
取引の対象となる不動産の住所と、当該不動産を撮影した写真と、を受け付ける受付部、
住所に対応付けられて、当該住所が示す場所もしくは当該住所の付近の道路から周囲を撮影したパノラマ画像が保存された記憶部から、前記受け付けられた住所に対応付けられて保存されたパノラマ画像を取得する取得部、
前記取得されたパノラマ画像の中に存在し、かつ、前記受け付けられた写真に類似する領域を推定する推定部、
前記パノラマ画像と、前記推定された領域と、前記写真と、を対比して提示する提示部、
として機能させることを特徴とするプログラム。
【請求項７】
コンピュータを、
取引の対象となる不動産の住所と、当該不動産を撮影した写真と、を受け付ける受付部、
住所に対応付けられて、当該住所が示す場所もしくは当該住所の付近の道路から周囲を撮影したパノラマ画像が保存された記憶部から、前記受け付けられた住所に対応付けられて保存されたパノラマ画像を取得する取得部、
前記取得されたパノラマ画像の中に存在し、かつ、前記受け付けられた写真に類似する領域を推定する推定部、
前記パノラマ画像と、前記推定された領域と、前記写真と、を対比して提示する提示部、
として機能させることを特徴とするプログラムを記録した非一時的なコンピュータ読取可能な記録媒体。
【国際調査報告】
2016208040.tif 000013
2016208040.tif 000014
2016208040.tif 000015
2016208040.tif 000016